(57)【要約】【課題】  インキの補充が簡単に行えると共に、部材点数の少ない印鑑を提供する。【解決手段】  下端部に下向きに突出した印字体７を有し、上端部に開口３を有すると共に内部にインク吸蔵体８を有する印字体ホルダー１と、下面開口から前記印字体７を突出させた態様で印字体ホルダー１を内部に保持する筒状グリップ10と、筒状グリップ10の下端部に嵌合され印字体７を覆うキャップ30とを備えている。筒状グリップ10は、内部に印字体ホルダー１を保持する保持部11が一体的に設けられると共に、上面に印字体ホルダー１の開口３に連通する開口14が設けられ、該開口14に開閉自在な栓体１５が装着されている。【選択図】  図２
2005022367.tif 000002
【特許請求の範囲】
【請求項１】
下端部に下向きに突出した印字体を有し、上端部に開口を有すると共に内部にインク吸蔵体を有する印字体ホルダーと、
下面開口から前記印字体を突出させた態様で印字体ホルダーを内部に保持する筒状グリップと、
筒状グリップの下端部に嵌合され印字体を覆うキャップとを備え、
前記筒状グリップは、内部に印字体ホルダーを保持する保持部が一体的に設けられると共に、上面に印字体ホルダーの開口に連通する開口が設けられ、該開口に開閉自在な栓体が装着されてなることを特徴とする印鑑。
【請求項２】
筒状グリップの上端部内部に、印字体ホルダーの上部を保持する保持部が設けられると共に、印字体ホルダーは、前記保持部に保持された状態のもとで、上端開口が筒状グリップ上面開口に接近する位置にあるものと設定されている請求項１に記載の印鑑。
【請求項３】
印字体ホルダーに、前記保持部に係合する回転防止部が設けられてなる請求項２に記載の印鑑。
【請求項４】
前記印字体ホルダー上端部内面に雌ねじ部が設けられる一方、栓体に前記雌ねじ部に螺合する雄ねじ部が設けられる共に栓体上面に硬貨の縁部が嵌まり込みうる操作用凹状部が設けられている請求項１ないし請求項３のいずれかに記載の印鑑。
【発明の詳細な説明】
【技術分野】
【０００１】
この発明は、印鑑、特に印鑑内部に設けられたインク吸蔵体によりインクを自給する印鑑に関する。
【背景技術】
【０００２】
従来、インク自給式印鑑におけるインク補給方法として、インクカートリッジを交換する方法と、印字体又はインク吸蔵体に直接インクを滴下して補給する方法とが行われている。
インクカートリッジ交換方法は、交換時に手や周囲を汚さずにインクを補給できるという利点がある。一方、印字体又はインク吸蔵体に直接インクを補給する方法は、インク補給時に手や周囲を汚すおそれがある反面、インクカートリッジ方式に較べて安価に行える利点がある。
【０００３】
インク吸蔵体に直接インクを補給する印鑑としては、特許文献１に開示されているように、印字体とインク吸蔵体とを備えたメインホルダの上端部に設けられたインクキャップをメインホルダからはずしてインクを補給するものとなされた印鑑が公知である。
【特許文献１】特開２００１−１８５０６号公報（第３頁、図２）
【発明の開示】
【発明が解決しようとする課題】
【０００４】
上記特許文献１に開示された印鑑において、メインホルダからインクキャップを外すためには、その前に、メインホルダに取り付けられたサブホルダと筒状グリップとを分離しなければならないので、その操作がいささか面倒である。
また、このような構成は部材点数も多くなり、部材管理上、組立上もいささか煩わしい。
【課題を解決するための手段】
【０００５】
この発明は、上記課題を解決するために、
下端部に下向きに突出した印字体を有し、上端部に開口を有すると共に内部にインク吸蔵体を有する印字体ホルダーと、
下面開口から前記印字体を突出させた態様で印字体ホルダーを内部に保持する筒状グリップと、
筒状グリップの下端部に嵌合され印字体を覆うキャップとを備え、
前記筒状グリップは、内部に印字体ホルダーを保持する保持部が一体的に設けられると共に、上面に印字体ホルダーの開口に連通する開口が設けられ、該開口に開閉自在な栓体が装着されてなる構成を採用する。
【０００６】
筒状グリップの上端部内部に、印字体ホルダーの上部を保持する保持部が設けられると共に、印字体ホルダーは、前記保持部に保持された状態のもとで、上端開口が筒状グリップ上面開口に接近する位置にあるものと設定されていることが好ましい。
印字体ホルダーに、前記保持部に係合する回転防止部が設けられてなることが好ましい。
前記印字体ホルダー上端部内面に雌ねじ部が設けられる一方、栓体に前記雌ねじ部に螺合する雄ねじ部が設けられる共に栓体上面に硬貨の縁部が嵌まり込みうる操作用凹状部が設けられていることが好ましい。
【発明の効果】
【０００７】
この発明の印鑑は、筒状グリップの上面に筒状印字体ホルダーの開口に連通する開口が設けられると共に、該開口に開閉自在な栓体が装着されているので、栓体を操作することによりインクの補給が簡単に行えるという利点を有する。
また、筒状グリップの内部に印字体ホルダーを保持する保持部が一体的に設けられているので、部材点数を減少させることができ部材管理上、製作上有利である。
【０００８】
筒状グリップの上端部内部に、印字体ホルダーの上部を保持する保持部が設けられると共に、印字体ホルダーは、前記保持部に保持された状態のもとで、上端開口が筒状グリップ上面開口に接近する位置にあるものと設定されている場合には、インクの滴下、補給の確実性が高まる。
【０００９】
印字体ホルダーに、前記保持部に係合する回転防止部が設けられてなる場合には、印字面の方向性が一定に保たれるので、不本意な印影の傾きが防止される。
【００１０】
印字体ホルダー上端部内面に雌ねじ部が設けられる一方、栓体に前記雌ねじ部に螺合する雄ねじ部が設けられる共に栓体上面に硬貨の縁部が嵌まり込みうる操作用凹状部が設けられている場合には、手持ちの硬貨を用いて確実な閉栓が行える。
【発明を実施するための最良の形態】
【００１１】
以下、この発明に係る印鑑の最良の実施形態を図面に基づいて説明する。
この発明に係る印鑑は、下端部に下向きに突出した印字体（７）を有し、上端部に開口（３）を有すると共に内部にインク吸蔵体（８）を有する印字体ホルダー（１）と、
下面開口から前記印字体（７）を突出させた態様で印字体ホルダー（１）を内部に保持する筒状グリップ（10）と、筒状グリップ（10）の下端部に嵌合され印字体（７）を覆うキャップ（30）とを備えているものである。
なお、この明細書において用いられる上下とは、捺印時に印字体印字面が向かう方向が下、その反対方向が上を意味するものである。
【００１２】
図１は、印鑑の全体斜視図、図２は、その分解状態の斜視図、図３は、図１のIII−III線断面図、図４は、図１のIV−IV線断面図、図５は、キャップ（30）を外した状態の要部縦断面図、図６は、筒状グリップ（10）先端とキャップ（30）との一部切欠正面図である。
【００１３】
印字体ホルダー（１）は、若干の弾性を有する合成樹脂から作成されてなるもので、円盤状ホルダー本体（２）とその上方に突出しホルダー本体（２）に連通する上下両筒部（１ｂ）（１ａ）とからなり、印字体（７）は、前記円盤状ホルダー本体（２）内に従来公知の方法により固着され、この印字体（７）の上方に、インク吸蔵体（８）が配置されている。該インク吸蔵体は、図３〜図５に示すように大半が下筒部（１ａ）内にある。該インク吸蔵体（８）からインクが印字体（７）に供給される方式も従来公知のものが採用されているので、その詳細な説明は省略する。
上下両筒部（１ｂ）（１ａ）は内部は連通しており、外面中間部に円周方向に沿ったくびれ部（４）が設けられると共に、該くびれ部（４）に跨る態様で、回転防止部としての突条（５）が両筒部（１ｂ）（１ａ）の高さ方向に沿って突設されている。
また、上筒部上端に開口（３）が設けられると共に、外方に向かって下向きに傾斜するテーパー面となされた案内部（６）が設けられている。
【００１４】
前記印字体ホルダー（１）を内部に保持する筒状グリップ（10）は、若干の弾性を有する合成樹脂から作成されてなるもので、下面に印字体（７）を突出させるための開口を備える一方、上面に印字体ホルダー（１）の開口（３）に連通する開口（14）が設けられている。この開口（14）は、通常は開閉自在な栓体（15）によって閉塞されているものである。
筒状グリップ（10）の上端部内部には、前記開口（14）に連なる態様の印字体ホルダー保持部（11）が下向きに突設されている。この印字体ホルダー（11）の周壁には、前記回転防止部としての突条（５）が嵌まり込む切欠（13）が、周壁の高さ方向に沿って設けられると共に、下端部内面に内側に突出する抜け止め用突条（12）が円周方向に沿って突設されている。この突条（12）が、印字体ホルダー（１）のくびれ部（４）に係止することにより、印字体ホルダー（１）の上下方向への移動が阻止される一方、印字体ホルダー（１）の突条（５）が切欠（13）に嵌まり込むことにより、円周方向への回転が阻止されることになるのである。
【００１５】
筒状グリップ（10）の外面には、滑り止め用平坦部（17）が設けられると共に、その下方に印字方向指示用突条（18）が突設されている。
筒状グリップ（10）の下端部には、装飾用リング（24）が取り付けられている。さらに最下端部には、上部よりも小径のキャップ嵌合部（19）が設けられ、その内面をスカート部（20）が上下に摺動するものとなされている。
スカート部（20）は、印字体ホルダー本体（２）を上から覆うような態様に形成され、上面に筒部（21）を有すると共に、該筒部（21）に印字体ホルダー（１）の突条（５）が嵌まり込む縦長の切欠（22）が設けられている。また、このスカート部（20）は、図５に示すように、上端がグリップ（10）の上壁内面に当接し、下端がスカート部（20）上面に当接するコイルスプリング（23）により常に下向きに付勢されている。
【００１６】
栓体（15）は、ビス状に形成され、平板頭部（15ａ）とその下面に下向きに突設された雄ねじ部（15ｂ）とからなり、平板頭部（15ａ）の上面に、硬貨の縁部が嵌まり込みうる操作用凹状部（16）が設けられている。
【００１７】
このような実施形態の印鑑は、印字体ホルダー（１）に印字体（７）とインク吸蔵体（８）とを所定位置に設置した後は、その他の部材を図２に示されるような分解状態から所定位置に配置して組付け、印字体ホルダー（１）の上筒部（１ｂ）を、回転防止用突条（５）を切欠（13）に嵌め込みながら、保持部（11）内に挿入してくびれ部（４）を円周方向の抜け止め用突条（12）に係止させることにより、簡単に組み立てを完了することができる。特に、印字体ホルダー（１）が、不本意に保持部（11）から抜脱してしまうおそれがなく、しっかりとグリップ内に保持された組み立て状態が得られる。しかも、印字体ホルダー（１）は、回転防止用突条（５）により不本意な回転が阻止されるので、印字面と印字方向指示用突条（18）との相対的位置関係が変化することがなく、捺印時の不本意な印影の傾きを防止できる。
また、多数回の捺印により印影が薄くなり、インクを補給しようとする際には、グリップ上面の栓体（15）を取り外することにより露出した開口（14）から、補充用インクをインク吸蔵体（８）に滴下させれば簡単にインクを補充することができる。しかも、栓体（15）には、硬貨の縁部が嵌まり込みうる操作用凹状部（16）が設けられているので、該凹状部（16）に嵌まり込む硬貨、その他の物を用いて強く締め付け、確実な閉栓状態が得られる。
【００１８】
なお、上記実施形態においては、栓体（15）が雄ねじ部を有し、該雄ねじ部が印字体ホルダー（１）の上筒部の雌ねじ部に直接螺合するものとなされているが、雌ねじ部が保持部（11）に設けられていても良い。また、栓体（15）は、このようなねじ式に限られるものではなく、不本意に栓体が外れてしまうことがなければ、例えば、キャップ式であっても良い。
印字体ホルダー（１）を固定する手段も特に限定されるものではない。
【図面の簡単な説明】
【００１９】
【図１】この発明に係る印鑑の実施形態の全体斜視図である。
【図２】同分解状態の斜視図である。
【図３】図１のIII−III線断面図である。
【図４】図１のIV−IV線断面図である。
【図５】この発明に係る印鑑の実施形態においてキャップを外した状態の要部縦断面図である。
【図６】同筒状グリップ先端とキャップとの一部切欠正面図である。
【符号の説明】
【００２０】
１…印字体ホルダー
３…（印字体ホルダーの）上端開口
５…回転防止用突条（回転防止部）
７…印字体
８…インク吸蔵体
10…筒状グリップ
11…保持部
14…（筒状グリップの）上壁開口
15…栓体
15ｂ…雄ねじ部
16…操作用凹状部
【図１】
2005022367.tif 000003
【図２】
2005022367.tif 000004
【図３】
2005022367.tif 000005
【図４】
2005022367.tif 000006
【図５】
2005022367.tif 000007
【図６】
2005022367.tif 000008